(57)【要約】【課題】カラーディスプレイデバイス（カラーディスプレイデバイスにおいて、各ピクセルが４つの高品質色状態を表示することができる）のための好適な駆動方法を提供すること。【解決手段】本発明は、カラーディスプレイデバイス（カラーディスプレイデバイスにおいて、各ピクセルが４つの高品質色状態を表示することができる）のための駆動方法を提供する。より具体的には、溶媒または溶媒混合物中に分散させられる、４つのタイプの粒子を含む、電気泳動流体が提供される。【選択図】図４
2019133197.tif 000002
【特許請求の範囲】
【請求項１】
本明細書に記載の発明。
【発明の詳細な説明】
【技術分野】
【０００１】
本発明は、各ピクセルが４つの高品質色状態を表示することができる、カラーディスプレイデバイスのための駆動方法を対象とする。
【背景技術】
【０００２】
カラーディスプレイを達成するために、多くの場合、カラーフィルタが使用される。最も一般的なアプローチは、赤、緑、および青色を表示するために、ピクセル化ディスプレイの黒／白色サブピクセルの上にカラーフィルタを追加することである。赤色が所望されるとき、表示される唯一の色が赤であるように、緑および青色サブピクセルが黒色状態に変えられる。青色が所望されるとき、表示される唯一の色が青であるように、緑および赤色サブピクセルが黒色状態に変えられる。緑色が所望されるとき、表示される唯一の色が緑であるように、赤および青色サブピクセルが黒色状態に変えられる。黒色状態が所望されるとき、３つ全てのサブピクセルが黒色状態に変えられる。白色状態が所望されるとき、３つのサブピクセルは、それぞれ、赤、緑、および青に変えられ、結果として、白色状態が視認者によって見られる。
【０００３】
そのような技法の最大の不利点は、サブピクセルの各々が、所望の白色状態の約３分の１（１／３）の反射率を有するので、白色状態が極めて薄暗いことである。これを補うために、白色レベルが、赤、緑、または青色レベルを犠牲にして倍増されるように、黒色および白色状態のみを表示することができる第４のサブピクセルが追加され得る（各サブピクセルは、ピクセルの面積のわずか４分の１である）。このアプローチを用いても、白色レベルは、通常、白黒ディスプレイのレベルの実質的に半分未満であり、十分に読みやすい白黒明度およびコントラストを必要とする電子書籍リーダまたはディスプレイ等のディスプレイデバイスに対して、それを許容できない選択にする。
【発明の概要】
【課題を解決するための手段】
【０００４】
本発明の第１の側面は、視認側の第１の表面と、非視認側の第２の表面と、電気泳動流体とを備えている電気泳動ディスプレイのための駆動方法を対象とし、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１または第２のタイプの粒子の色状態に向けてピクセルを駆動するために、第１の期間にわたって第１の駆動電圧を電気泳動ディスプレイ内のピクセルに印加するステップ、および、
（ｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために、第２の期間にわたって第２の駆動電圧をピクセルに印加するステップであって、第２の駆動電圧は、第１の駆動電圧のそれと反対の極性と、第１の駆動電圧のそれより低い振幅とを有する、ステップ。
【０００５】
本発明の第２の側面は、視認側の第１の表面と、非視認側の第２の表面と、電気泳動流体とを備えている電気泳動ディスプレイのための駆動方法を対象とし、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１または第２のタイプの粒子の色状態に向けてピクセルを駆動するために、第１の期間にわたって第１の駆動電圧を電気泳動ディスプレイ内のピクセルに印加するステップ、
（ｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために、第２の期間にわたって第２の駆動電圧をピクセルに印加するステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップ、および、
ステップ（ｉ）および（ｉｉ）を繰り返すステップ。
【０００６】
本発明の第３の側面は、視認側の第１の表面と、非視認側の第２の表面と、電気泳動流体とを備えている電気泳動ディスプレイのための駆動方法を対象とし、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１のタイプまたは第２のタイプの粒子の色状態に向けてピクセルを駆動するために、第１の期間にわたって第１の駆動電圧を電気泳動ディスプレイ内のピクセルに印加するステップ、
（ｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために、第２の期間にわたって第２の駆動電圧をピクセルに印加するステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｉｉ）第３の期間にわたっていかなる駆動電圧もピクセルに印加しないステップ、および、
ステップ（ｉ）−（ｉｉｉ）を繰り返すステップ。
【０００７】
本発明の第４の側面は、視認側の第１の表面と、非視認側の第２の表面と、電気泳動流体とを備えている電気泳動ディスプレイのための駆動方法を対象とし、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１または第２のタイプの粒子の色状態に向けてピクセルを駆動するために、第１の期間にわたって第１の駆動電圧を電気泳動ディスプレイ内のピクセルに印加するステップ、
（ｉｉ）第２の期間にわたっていかなる駆動電圧もピクセルに印加しないステップ、
（ｉｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために第３の期間にわたって第２の駆動電圧をピクセルに印加するステップであって、第３の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｖ）第４の期間にわたっていかなる駆動電圧もピクセルに印加しないステップ、および、
ステップ（ｉ）−（ｉｖ）を繰り返すステップ。
【０００８】
本発明の第４の側面はさらに、以下のステップを含み得る：
（ｖ）第５の期間にわたって第３の駆動電圧をピクセルに印加するステップであって、第３の駆動電圧は、第１の駆動電圧のそれと同一の極性を有する、ステップ、
（ｖｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために第６の期間にわたって第４の駆動電圧をピクセルに印加するステップであって、第５の期間は、第６の期間より短く、第４の駆動電圧は、第１の駆動電圧のそれと反対の極性を有する、ステップ、
（ｖｉｉ）第７の期間にわたっていかなる駆動電圧もピクセルに印加しないステップ、および、
ステップ（ｖ）−（ｖｉｉ）を繰り返すステップ。
本明細書は、例えば、以下の項目も提供する。
（項目１）
視認側の第１の表面と、非視認側の第２の表面と、電気泳動流体とを備えている電気泳動ディスプレイを駆動するための駆動方法であって、その流体は、共通電極とピクセル電極の層との間に挟まれており、第１のタイプの粒子、第２のタイプの粒子、第３のタイプの粒子、および第４のタイプの粒子を含み、それらの全ては、溶媒または溶媒混合物中に分散させられており、
（ａ）前記４つのタイプの色素粒子は、互いに異なる光学特性を有し、
（ｂ）前記第１のタイプの粒子は、高正電荷を帯び、前記第２のタイプの粒子は、高負電荷を帯び、
（ｃ）前記第３のタイプの粒子は、低正電荷を帯び、前記第４のタイプの粒子は、低負電荷を帯び、
前記方法は、
（ｉ）前記視認側における前記第１または第２のタイプの粒子の色状態に向けてピクセルを駆動するために、第１の期間にわたって第１の駆動電圧を前記電気泳動ディスプレイ内の前記ピクセルに印加するステップと、
（ｉｉ）前記視認側における前記第１のタイプの粒子の前記色状態から前記第４のタイプの粒子の前記色状態に向けて前記ピクセルを駆動するために、または前記第２のタイプの粒子の前記色状態から前記第３のタイプの粒子の前記色状態に向けて前記ピクセルを駆動するために、第２の期間にわたって第２の駆動電圧を前記ピクセルに印加するステップであって、前記第２の駆動電圧は、前記第１の駆動電圧のそれと反対の極性と、前記第１の駆動電圧のそれより低い振幅とを有する、ステップと
を含む、方法。
（項目２）
視認側の第１の表面と、非視認側の第２の表面と、電気泳動流体とを備えている電気泳動ディスプレイを駆動するための駆動方法であって、その流体は、共通電極とピクセル電極の層との間に挟まれており、第１のタイプの粒子、第２のタイプの粒子、第３のタイプの粒子、および第４のタイプの粒子を含み、それらの全ては、溶媒または溶媒混合物中に分散させられており、
（ａ）前記４つのタイプの色素粒子は、互いに異なる光学特性を有し、
（ｂ）前記第１のタイプの粒子は、高正電荷を帯び、前記第２のタイプの粒子は、高負電荷を帯び、
（ｃ）前記第３のタイプの粒子は、低正電荷を帯び、前記第４のタイプの粒子は、低負電荷を帯び、
前記方法は、
（ｉ）前記視認側における前記第１または第２のタイプの粒子の色状態に向けてピクセルを駆動するために、第１の期間にわたって第１の駆動電圧を前記電気泳動ディスプレイ内の前記ピクセルに印加するステップと、
（ｉｉ）前記視認側における前記第１のタイプの粒子の前記色状態から前記第４のタイプの粒子の前記色状態に向けて前記ピクセルを駆動するために、または前記第２のタイプの粒子の前記色状態から前記第３のタイプの粒子の前記色状態に向けて前記ピクセルを駆動するために、第２の期間にわたって第２の駆動電圧を前記ピクセルに印加するステップであって、前記第２の期間は、前記第１の期間より長く、前記第２の駆動電圧は、前記第１の駆動電圧のそれと反対の極性を有し、前記第２の駆動電圧は、前記第１の駆動電圧のそれより低い振幅を有する、ステップと、
ステップ（ｉ）および（ｉｉ）を繰り返すステップと
を含む、方法。
（項目３）
前記第２の駆動電圧の前記振幅は、前記第１の駆動電圧の前記振幅の５０％未満である、項目２に記載の方法。
（項目４）
ステップ（ｉ）および（ｉｉ）は、少なくとも４回繰り返される、項目２に記載の方法
（項目５）
ステップ（ｉ）および（ｉｉ）は、少なくとも８回繰り返される、項目２に記載の方法
（項目６）
ステップ（ｉ）の前に振動波形をさらに含む、項目２に記載の方法
（項目７）
前記振動波形の後、ステップ（ｉ）に先立って、前記ピクセルを前記第１または第２のタイプの粒子の前記色状態に駆動するステップをさらに含む、項目２に記載の方法
（項目８）
視認側の第１の表面と、非視認側の第２の表面と、電気泳動流体とを備えている電気泳動ディスプレイを駆動するための駆動方法であって、その流体は、共通電極とピクセル電極の層との間に挟まれており、第１のタイプの粒子、第２のタイプの粒子、第３のタイプの粒子、および第４のタイプの粒子を含み、それらの全ては、溶媒または溶媒混合物中に分散させられており、
（ａ）前記４つのタイプの色素粒子は、互いに異なる光学特性を有し、
（ｂ）前記第１のタイプの粒子は、高正電荷を帯び、前記第２のタイプの粒子は、高負電荷を帯び、
（ｃ）前記第３のタイプの粒子は、低正電荷を帯び、前記第４のタイプの粒子は、低負電荷を帯び、
前記方法は、
（ｉ）前記視認側における前記第１のタイプまたは第２のタイプの粒子の色状態に向けてピクセルを駆動するために、第１の期間にわたって第１の駆動電圧を前記電気泳動ディスプレイ内の前記ピクセルに印加するステップと、
（ｉｉ）前記視認側における前記第１のタイプの粒子の前記色状態から前記第４のタイプの粒子の前記色状態に向けて前記ピクセルを駆動するために、または前記第２のタイプの粒子の前記色状態から前記第３のタイプの粒子の前記色状態に向けて前記ピクセルを駆動するために、第２の期間にわたって第２の駆動電圧を前記ピクセルに印加するステップであって、前記第２の期間は、前記第１の期間より長く、前記第２の駆動電圧は、前記第１の駆動電圧のそれと反対の極性を有し、前記第２の駆動電圧は、前記第１の駆動電圧のそれより低い振幅を有する、ステップと、
（ｉｉｉ）第３の期間にわたっていかなる駆動電圧も前記ピクセルに印加しないステップと、
ステップ（ｉ）−（ｉｉｉ）を繰り返すステップと
を含む、方法。
（項目９）
前記第２の駆動電圧の前記振幅は、前記第１の駆動電圧の前記振幅の５０％未満である、項目８に記載の方法。
（項目１０）
ステップ（ｉ）、（ｉｉ）、および（ｉｉｉ）は、少なくとも４回繰り返される、項目８に記載の方法。
（項目１１）
ステップ（ｉ）、（ｉｉ）、および（ｉｉｉ）は、少なくとも８回繰り返される、項目８に記載の方法。
（項目１２）
ステップ（ｉ）の前に振動波形をさらに含む、項目８に記載の方法。
（項目１３）
前記振動波形の後、ステップ（ｉ）に先立って、前記第１または第２のタイプの粒子のフルカラー状態に駆動するステップをさらに含む、項目８に記載の方法。
（項目１４）
視認側の第１の表面と、非視認側の第２の表面と、電気泳動流体とを備えている電気泳動ディスプレイを駆動するための駆動方法であって、その流体は、共通電極とピクセル電極の層との間に挟まれており、第１のタイプの粒子、第２のタイプの粒子、第３のタイプの粒子、および第４のタイプの粒子を含み、それらの全ては、溶媒または溶媒混合物中に分散させられており、
（ａ）前記４つのタイプの色素粒子は、互いに異なる光学特性を有し、
（ｂ）前記第１のタイプの粒子は、高正電荷を帯び、前記第２のタイプの粒子は、高負電荷を帯び、
（ｃ）前記第３のタイプの粒子は、低正電荷を帯び、前記第４のタイプの粒子は、低負電荷を帯び、
前記方法は、
（ｉ）前記視認側における前記第１または第２のタイプの粒子の色状態に向けてピクセルを駆動するために、第１の期間にわたって第１の駆動電圧を前記電気泳動ディスプレイ内の前記ピクセルに印加するステップと、
（ｉｉ）第２の期間にわたっていかなる駆動電圧も前記ピクセルに印加しないステップと、
（ｉｉｉ）前記視認側における前記第１のタイプの粒子の前記色状態から前記第４のタイプの粒子の前記色状態に向けて前記ピクセルを駆動するために、または前記第２のタイプの粒子の前記色状態から前記第３のタイプの粒子の前記色状態に向けて前記ピクセルを駆動するために第３の期間にわたって第２の駆動電圧を前記ピクセルに印加するステップであって、前記第３の期間は、前記第１の期間より長く、前記第２の駆動電圧は、前記第１の駆動電圧のそれと反対の極性を有し、前記第２の駆動電圧は、前記第１の駆動電圧のそれより低い振幅を有する、ステップと、
（ｉｖ）第４の期間にわたっていかなる駆動電圧も前記ピクセルに印加しないステップと、
ステップ（ｉ）−（ｉｖ）を繰り返すステップと
を含む、方法。
（項目１５）
前記第２の駆動電圧の前記振幅は、前記第１の駆動電圧の前記振幅の５０％未満である、項目１４に記載の方法。
（項目１６）
ステップ（ｉ）−（ｉｖ）は、少なくとも４回繰り返される、項目１４に記載の方法。
（項目１７）
ステップ（ｉ）−（ｉｖ）は、少なくとも８回繰り返される、項目１４に記載の方法。
（項目１８）
ステップ（ｉ）の前に振動波形をさらに含む、項目１４に記載の方法。
（項目１９）
前記振動波形の後、ステップ（ｉ）に先立って、前記ピクセルを前記第１または第２のタイプの粒子の前記色状態に駆動するステップをさらに含む、項目１４に記載の方法。
（項目２０）
（ｖ）第５の期間にわたって第３の駆動電圧を前記ピクセルに印加するステップであって、前記第３の駆動電圧は、前記第１の駆動電圧のそれと同一の極性を有する、ステップと、
（ｖｉ）前記視認側における前記第１のタイプの粒子の前記色状態から前記第４のタイプの粒子の前記色状態に向けて前記ピクセルを駆動するために、または前記第２のタイプの粒子の前記色状態から前記第３のタイプの粒子の前記色状態に向けて前記ピクセルを駆動するために第６の期間にわたって第４の駆動電圧を前記ピクセルに印加するステップであって、前記第５の期間は、前記第６の期間より短く、前記第４の駆動電圧は、前記第１の駆動電圧のそれと反対の極性を有する、ステップと、
（ｖｉｉ）第７の期間にわたっていかなる駆動電圧も前記ピクセルに印加しないステップと、
ステップ（ｖ）−（ｖｉｉ）を繰り返すステップと
をさらに含む、項目１４に記載の方法。
（項目２１）
前記第３の駆動電圧および前記第４の駆動電圧の両方の振幅は、前記第１の駆動電圧の前記振幅の５０％未満である、項目２０に記載の方法。
（項目２２）
ステップ（ｖ）−（ｖｉｉ）は、少なくとも４回繰り返される、項目２０に記載の方法。
（項目２３）
ステップ（ｖ）−（ｖｉｉ）は、少なくとも８回繰り返される、項目２０に記載の方法。
【図面の簡単な説明】
【０００９】
【図１】図１は、４つの異なる色状態を表示することが可能なディスプレイ層を描写する。
【図２−１】図２−１〜２−３は、本発明の実施例を図示する。
【図２−２】図２−１〜２−３は、本発明の実施例を図示する。
【図２−３】図２−１〜２−３は、本発明の実施例を図示する。
【図３】図３は、駆動方法に組み込まれ得る振動波形を示す。
【図４】図４および５は、本発明の第１の駆動方法を図示する。
【図５】図４および５は、本発明の第１の駆動方法を図示する。
【図６】図６および９は、本発明の第２の駆動方法を図示する。
【図７】図７、８、１０、および１１は、本発明の第２の駆動方法を利用する、駆動順序を示す。
【図８】図７、８、１０、および１１は、本発明の第２の駆動方法を利用する、駆動順序を示す。
【図９】図６および９は、本発明の第２の駆動方法を図示する。
【図１０】図７、８、１０、および１１は、本発明の第２の駆動方法を利用する、駆動順序を示す。
【図１１】図７、８、１０、および１１は、本発明の第２の駆動方法を利用する、駆動順序を示す。
【図１２】図１２および１５は、本発明の第３の駆動方法を図示する。
【図１３】図１３、１４、１６、および１７は、本発明の第３の駆動方法を利用する、駆動順序を示す。
【図１４】図１３、１４、１６、および１７は、本発明の第３の駆動方法を利用する、駆動順序を示す。
【図１５】図１２および１５は、本発明の第３の駆動方法を図示する。
【図１６】図１３、１４、１６、および１７は、本発明の第３の駆動方法を利用する、駆動順序を示す。
【図１７】図１３、１４、１６、および１７は、本発明の第３の駆動方法を利用する、駆動順序を示す。
【図１８】図１８および２１は、本発明の第４の駆動方法を図示する。
【図１９】図１９、２０、２２、および２３は、本発明の第４の駆動方法を利用する、駆動順序を示す。
【図２０】図１９、２０、２２、および２３は、本発明の第４の駆動方法を利用する、駆動順序を示す。
【図２１】図１８および２１は、本発明の第４の駆動方法を図示する。
【図２２】図１９、２０、２２、および２３は、本発明の第４の駆動方法を利用する、駆動順序を示す。
【図２３】図１９、２０、２２、および２３は、本発明の第４の駆動方法を利用する、駆動順序を示す。
【図２４】図２４および２７は、本発明の第５の駆動方法を図示する。
【図２５】図２５、２６、２８、および２９は、本発明の第５の駆動方法を利用する、駆動順序を示す。
【図２６】図２５、２６、２８、および２９は、本発明の第５の駆動方法を利用する、駆動順序を示す。
【図２７】図２４および２７は、本発明の第５の駆動方法を図示する。
【図２８】図２５、２６、２８、および２９は、本発明の第５の駆動方法を利用する、駆動順序を示す。
【図２９】図２５、２６、２８、および２９は、本発明の第５の駆動方法を利用する、駆動順序を示す。
【発明を実施するための形態】
【００１０】
本発明に関係付けられる電気泳動流体は、２対の逆荷電粒子を備えている。第１の対は、第１のタイプの正粒子および第１のタイプの負粒子から成り、第２の対は、第２のタイプの正粒子および第２のタイプの負粒子から成る。
【００１１】
２対の逆荷電粒子において、一方の対は、他方の対より強い電荷を帯びる。したがって、４つのタイプの粒子はまた、高正粒子、高負粒子、低正粒子、および低負粒子と称され得る。
【００１２】
図１に示される実施例として、黒色粒子（Ｋ）および黄色粒子（Ｙ）は、第１の対の逆荷電粒子であり、この対では、黒色粒子は、高正粒子であり、黄色粒子は、高負粒子である。赤色粒子（Ｒ）および白色粒子（Ｗ）は、第２の対の逆荷電粒子であり、この対では、赤色粒子は、低正粒子であり、白色粒子は、低負粒子である。
【００１３】
示されていない別の実施例では、黒色粒子は、高正粒子であり得、黄色粒子は、低正粒子であり得、白色粒子は、低負粒子であり得、赤色粒子は、高負粒子であり得る。
【００１４】
加えて、４つのタイプの粒子の色状態は、意図的に混合させられ得る。例えば、黄色色素が、本質的に、多くの場合、緑色がかかった色合いを有するので、より良好な黄色状態が所望される場合、両方のタイプの粒子が同一の電荷極性を帯び、黄色粒子が赤色粒子より高く荷電している黄色粒子および赤色粒子が使用され得る。結果として、黄色状態において、黄色状態により良好な色純度を持たせるように、緑色がかかった黄色粒子と混合させられた少量の赤色粒子が存在するであろう。
【００１５】
本発明の範囲は、４つのタイプの粒子が視覚的に区別可能な色である限り、任意の色の粒子を広く包含することが理解される。
【００１６】
白色粒子に対して、白色粒子は、ＴｉＯ２、ＺｒＯ２、ＺｎＯ、Ａｌ２Ｏ３、Ｓｂ２Ｏ３、ＢａＳＯ４、ＰｂＳＯ４等の無機色素から形成され得る。
【００１７】
黒色粒子に対して、黒色粒子は、ＣＩ色素黒色２６または２８等（例えば、マンガンフェライトブラックスピネルまたは銅クロマイトブラックスピネル）、またはカーボンブラックから形成され得る。
【００１８】
非白色および非黒色の粒子は、赤、緑、青、マゼンタ、シアン、または黄色等の色と無関係である。色粒子のための色素は、ＣＩ色素ＰＲ２５４、ＰＲ１２２、ＰＲ１４９、ＰＧ３６、ＰＧ５８、ＰＧ７、ＰＢ２８、ＰＢ１５：３、ＰＹ８３、ＰＹ１３８、ＰＹ１５０、ＰＹ１５５、またはＰＹ２０を含み得るが、それらに限定されない。これらは、カラーインデックスハンドブック「Ｎｅｗ  Ｐｉｇｍｅｎｔ  Ａｐｐｌｉｃａｔｉｏｎ  Ｔｅｃｈｎｏｌｏｇｙ）（ＣＭＣ  Ｐｕｂｌｉｓｈｉｎｇ  Ｃｏ，Ｌｔｄ，１９８６）および「Ｐｒｉｎｔｉｎｇ  Ｉｎｋ  Ｔｅｃｈｎｏｌｏｇｙ」（ＣＭＣ  Ｐｕｂｌｉｓｈｉｎｇ  Ｃｏ，Ｌｔｄ，１９８４）で説明される一般的に使用されている有機色素である。具体的実施例は、Ｃｌａｒｉａｎｔ  Ｈｏｓｔａｐｅｒｍ  Ｒｅｄ  Ｄ３Ｇ  ７０−ＥＤＳ、Ｈｏｓｔａｐｅｒｍ  Ｐｉｎｋ  Ｅ−ＥＤＳ、ＰＶ  ｆａｓｔ  ｒｅｄ  Ｄ３Ｇ、Ｈｏｓｔａｐｅｒｍ  ｒｅｄ  Ｄ３Ｇ  ７０、Ｈｏｓｔａｐｅｒｍ  Ｂｌｕｅ  Ｂ２Ｇ−ＥＤＳ、Ｈｏｓｔａｐｅｒｍ  Ｙｅｌｌｏｗ  Ｈ４Ｇ−ＥＤＳ、Ｎｏｖｏｐｅｒｍ  Ｙｅｌｌｏｗ  ＨＲ−７０−ＥＤＳ、Ｈｏｓｔａｐｅｒｍ  Ｇｒｅｅｎ  ＧＮＸ、ＢＡＳＦ  Ｉｒｇａｚｉｎｅ  ｒｅｄ  Ｌ３６３０、Ｃｉｎｑｕａｓｉａ  Ｒｅｄ  Ｌ  ４１００  ＨＤ、およびＩｒｇａｚｉｎ  Ｒｅｄ  Ｌ  ３６６０  ＨＤ、Ｓｕｎ  Ｃｈｅｍｉｃａｌ  フタロシアニンブルー、フタロシアニングリーン、ディアリライドイエローまたはディアリライドＡＡＯＴイエローを含む。
【００１９】
色粒子はまた、赤、緑、青、および黄色色素等の無機色素であり得る。実施例は、ＣＩ色素青色２８、ＣＩ色素緑色５０、およびＣＩ色素黄色２２７を含み得るが、それらに限定されない。
【００２０】
色に加えて、４つのタイプの粒子は、光学透過、反射率、発光、または、機械読み取りのために意図されたディスプレイの場合、可視範囲外の電磁波長の反射率の変化という意味の疑似カラー等の他の異なる光学特性を有し得る。
【００２１】
本発明のディスプレイ流体を利用するディスプレイ層は、２つの表面、すなわち、視認側の第１の表面（１３）と、第１の表面（１３）の反対側の第２の表面（１４）とを有する。ディスプレイ流体は、２つの表面の間に挟まれている。第１の表面（１３）側に、ディスプレイ層の最上部全体を覆って広がっている透明電極層（例えば、ＩＴＯ）である共通電極（１１）がある。第２の表面（１４）側には、複数のピクセル電極（１２ａ）を備えている電極層（１２）がある。
【００２２】
ピクセル電極は、その内容が参照することによってその全体として本明細書に組み込まれる米国特許第７，０４６，２２８号に説明されている。薄膜トランジスタ（ＴＦＴ）バックプレーンを伴うアクティブマトリクス駆動が、ピクセル電極の層に対して記述されるが、本発明の範囲は、電極が所望の機能を果たす限り、他のタイプの電極アドレッシングを包含することに留意されたい。
【００２３】
図１の２本の垂直点線の間の各空間は、ピクセルを表す。示されるように、各ピクセルは、対応するピクセル電極を有する。共通電極に印加される電圧と対応するピクセル電極に印加される電圧との間の電位差によって、電場がピクセルのために生成される。
【００２４】
４つのタイプの粒子が分散させられている溶媒は、透明かつ無色である。それは、好ましくは、高い粒子移動度のために、低い粘度と、約２〜約３０、好ましくは、約２〜約１５の範囲内の誘電率とを有する。好適な誘電溶媒の実施例は、アイソパー、デカヒドロナフタレン（ＤＥＣＡＬＩＮ）、５−エチリデン−２−ノルボルネン、脂肪油、パラフィン油、シリコン流体等の炭化水素、トルエン、キシレン、フェニルキシリルエタン、ドデシルベンゼン、またはアルキルナフタレン等の芳香族炭化水素、ペルフルオロデカリン、ペルフルオロトルエン、ペルフルオロキシレン、ジクロロベンゾトリフルオリド、３，４，５−トリクロロベンゾトリフルオリド、クロロペンタフルオロ−ベンゼン、ジクロロノナン、またはペンタクロロベンゼン等のハロゲン化溶媒、および３Ｍ  Ｃｏｍｐａｎｙ（Ｓｔ．Ｐａｕｌ  ＭＮ）からのＦＣ−４３、ＦＣ−７０、またはＦＣ−５０６０等のペルフルオロ化溶媒、ＴＣＩ  Ａｍｅｒｉｃａ（Ｐｏｒｔｌａｎｄ，Ｏｒｅｇｏｎ）からのポリ（ペルフルオロプロピレンオキシド）等のポリマーを含む低分子量ハロゲン、Ｈａｌｏｃａｒｂｏｎ  Ｐｒｏｄｕｃｔ  Ｃｏｒｐ．（Ｒｉｖｅｒ  Ｅｄｇｅ，ＮＪ）からのＨａｌｏｃａｒｂｏｎ  Ｏｉｌｓ等のポリ（クロロトリフルオロエチレン）、ＡｕｓｉｍｏｎｔからのＧａｌｄｅｎまたはＤｕＰｏｎｔ（Ｄｅｌａｗａｒｅ）からのＫｒｙｔｏｘ  ＯｉｌｓおよびＧｒｅａｓｅｓ  Ｋ−Ｆｌｕｉｄ  Ｓｅｒｉｅｓ等のペルフルオロポリアルキルエーテル、Ｄｏｗ−ｃｏｒｎｉｎｇ（ＤＣ−２００）からのポリジメチルシロキサン系シリコーン油を含む。
【００２５】
一実施形態では、「低電荷」粒子によって帯びられる電荷は、「高電荷」粒子によって帯びられる電荷の約５０％、好ましくは、約５％〜約３０％未満であり得る。別の実施形態では、「低電荷」粒子は、「高電荷」粒子によって帯びられる電荷の約７５％、または約１５％〜約５５％未満であり得る。さらなる実施形態では、示されるような電荷レベルの比較は、同一の電荷極性を有する２つのタイプの粒子に適用される。
【００２６】
電荷強度は、ゼータ電位に関して測定され得る。一実施形態では、ゼータ電位は、ＣＳＰＵ−１００信号処理ユニット、ＥＳＡ  ＥＮ＃Ａｔｔｎ  フロースルーセル（Ｋ：１２７）を伴うＣｏｌｌｏｉｄａｌ  Ｄｙｎａｍｉｃｓ  ＡｃｏｕｓｔｏＳｉｚｅｒ  ＩＩＭによって決定される。サンプルで使用される溶媒の密度、溶媒の誘電率、溶媒中の音速、溶媒の粘度等（全て試験温度（２５℃））の計器定数は、試験前に入力される。色素サンプルは、（通常、１２個未満の炭素原子を有する炭化水素流体である）溶媒中に分散させられ、５〜１０重量％に希釈される。サンプルはまた、電荷制御剤対粒子の１：１０の重量比を伴う、電荷制御剤（Ｂｅｒｋｓｈｉｒｅ  Ｈａｔｈａｗａｙの子会社であるＬｕｂｒｉｚｏｌ  Ｃｏｒｐｏｒａｔｉｏｎから入手可能であるＳｏｌｓｐｅｒｓｅ  １７０００（登録商標）、「Ｓｏｌｓｐｅｒｓｅ」は登録商標である）も含む。希釈サンプルの質量が決定され、次いで、サンプルがゼータ電位の決定のためにフロースルーセルの中へ装填される。
【００２７】
「高正」粒子および「高負」粒子の振幅は、同一であることも、異なることもある。同様に、「低正」粒子および「低負」粒子の振幅は、同一であることも、異なることもある。
【００２８】
同一の流体において、２対の高・低電荷粒子が異なるレベルの電荷差を有し得ることも留意されたい。例えば、一方の対では、低正電荷粒子は、高正電荷粒子の電荷強度の３０％である電荷強度を有し得、別の対では、低負電荷粒子は、高負電荷粒子の電荷強度の５０％である電荷強度を有し得る。
【００２９】
以下は、そのようなディスプレイ流体を利用するディスプレイデバイスを例証する実施例である。
【００３０】
（実施例）
本実施例は、図２で実証される。高正粒子は、黒色（Ｋ）であり、高負粒子は、黄色（Ｙ）であり、低正粒子は、赤色（Ｒ）であり、低負粒子は、白色（Ｗ）である。
【００３１】
図２（ａ）では、高負電位差（例えば、−１５Ｖ）が、十分な長さの期間にわたってピクセルに印加されると、黄色粒子（Ｙ）が共通電極（２１）側まで押され、黒色粒子（Ｋ）がピクセル電極（２２ａ）側に引っ張られることを引き起こす電場が生成される。赤色（Ｒ）および白色（Ｗ）粒子は、より弱い電荷を帯びているので、より高く荷電した黒色および黄色粒子より遅く移動し、結果として、それらは、赤色粒子の上方に白色粒子を伴って、ピクセルの中央に留まる。この場合、黄色が視認側で見られる。
【００３２】
図２（ｂ）では、高正電位差（例えば、＋１５Ｖ）が、十分な長さの期間にわたってピクセルに印加される、粒子分布が図２（ａ）に示されるものと反対であることを引き起こす反対極性の電場が生成され、結果として、黒色が視認側で見られる。
【００３３】
図２（ｃ）では、より低正電位差（例えば、＋３Ｖ）が、十分な長さの期間にわたって図２（ａ）のピクセルに印加される（つまり、黄色状態から駆動される）と、黄色粒子（Ｙ）がピクセル電極（２２ａ）に向かって移動させられることを引き起こす電場が生成される一方で、黒色粒子（Ｋ）は、共通電極（２１）に向かって移動する。しかしながら、それらがピクセルの中央で接触するとき、それらは、有意に減速し、そこに留まる。なぜなら、低い駆動電圧によって生成される電場は、それらの間の強い引力を克服するために十分に強くないからである。一方で、低い駆動電圧によって生成される電場は、より弱い電荷を帯びた白色および赤色粒子を分離して、低正赤色粒子（Ｒ）を共通電極（２１）側（すなわち、視認側）まで、低負白色粒子（Ｗ）をピクセル電極（２２ａ）側まで移動させるために十分である。結果として、赤色が見られる。本図では、より弱い電荷を帯びた粒子（例えば、Ｒ）と反対極性のより強い電荷を帯びた粒子（例えば、Ｙ）との間にも引力があることにも留意されたい。しかしながら、これらの引力は、２つのタイプのより強い電荷を帯びた粒子（ＫおよびＹ）の間の引力ほど強くはなく、したがって、それらは、低い駆動電圧によって生成される電場によって克服され得る。換言すると、反対極性のより弱い電荷を帯びた粒子とより強い電荷を帯びた粒子とは、分離されることができる。
【００３４】
図２（ｄ）では、より低い負電位差（例えば、−３Ｖ）が、十分な長さの期間にわたって図２（ｂ）のピクセルに印加される（つまり、黒色状態から駆動される）と、黒色粒子（Ｋ）がピクセル電極（２２ａ）に向かって移動させられることを引き起こす電場が生成される一方で、黄色粒子（Ｙ）は、共通電極（２１）に向かって移動する。黒色および黄色粒子がピクセルの中央で接触するとき、それらは、低い駆動電圧によって生成される電場がそれらの間の強い引力を克服するために十分に強くないので、有意に減速し、そこに留まる。同時に、低い駆動電圧によって生成される電場は、白色および赤色粒子を分離して、低負白色粒子（Ｗ）を共通電極側（すなわち、視認側）まで、低正赤色粒子（Ｒ）をピクセル電極側まで移動させるために十分である。結果として、白色が見られる。本図では、より弱い電荷を帯びた粒子（例えば、Ｗ）と反対極性のより強い電荷を帯びた粒子（例えば、Ｋ）との間にも引力があることにも留意されたい。しかしながら、これらの引力は、２つのタイプのより強い電荷を帯びた粒子（ＫおよびＹ）の間の引力ほど強くはなく、したがって、それらは、低い駆動電圧によって生成される電場によって克服され得る。換言すると、反対極性のより弱い電荷を帯びた粒子およびより強い電荷を帯びた粒子は、分離されることができる。
【００３５】
本実施例では、黒色粒子（Ｋ）は、高正電荷を帯び、黄色粒子（Ｙ）は、高負電荷を帯び、赤色（Ｒ）粒子は、低正電荷を帯び、白色粒子（Ｗ）は、低負電荷を帯びることが実証されるが、実践では、高正電荷または高負電荷、もしくは低正電荷または低負電荷を帯びる粒子は、任意の色であり得る。これらの変形例の全ては、本願の範囲内であることを意図している。
【００３６】
図２（ｃ）および２（ｄ）の色状態に達するように印加される、より低い電位差は、高正粒子の色状態から低負粒子の色状態に、または逆も同様に、ピクセルを駆動するために必要とされる全駆動電位差の約５％〜約５０％であり得ることも留意されたい。
【００３７】
上で説明されるような電気泳動流体は、ディスプレイセル内に充填される。ディスプレイセルは、その内容が参照することによって全体として本明細書に組み込まれる米国特許第６，９３０，８１８号に説明されるコップ状マイクロセルであり得る。ディスプレイセルはまた、それらの形状またはサイズにかかわらず、マイクロカプセル、マイクロチャネル、または均等物等の他のタイプのマイクロコンテナであり得る。これらの全ては、本願の範囲内である。
【００３８】
色輝度および色純度の両方を確実にするために、１つの色状態から別の色状態に駆動することに先立って、振動波形が使用され得る。振動波形は、多くのサイクルにわたって一対の反対駆動パルスを繰り返すことから成る。例えば、振動波形は、２０ミリ秒間の＋１５Ｖパルスおよび２０ミリ秒間の−１５Ｖパルスから成り得、そのような一対のパルスは、５０回繰り返される。そのような振動波形の合計時間は、２０００ミリ秒であろう（図３参照）。
【００３９】
実践では、少なくとも１０回の繰り返しがあり得る（すなわち、１０対の正および負のパルス）。
【００４０】
振動波形は、駆動電圧が印加される前に、光学状態（黒色、白色、赤色、または黄色）にかかわらず印加され得る。振動波形が印加された後、光学状態は、純白色、純黒色、純黄色、または純赤色ではないであろう。代わりに、色状態は、４つのタイプの色素粒子の混合からのものであろう。
【００４１】
振動波形内の駆動パルスの各々は、本実施例では、完全黒色状態から完全黄色に、または逆も同様に、必要とされる駆動時間の５０％を超えない（または３０％、１０％、もしくは５％を超えない）時間にわたって印加される。例えば、完全黒色状態から完全黄色まで、または逆も同様に、ディスプレイデバイスを駆動するために３００ミリ秒かかる場合、振動波形は、それぞれ多くても１５０ミリ秒にわたって印加される、正および負のパルスから成り得る。実践では、パルスは、より短いことが好ましい。
【００４２】
説明されるような振動波形は、本発明の駆動方法で使用され得る。
【００４３】
本願の全体を通した図面の全てでは、振動波形が省略されている（すなわち、パルスの数が実際の数より少ない）ことに留意されたい。
【００４４】
加えて、本願との関連で、高い駆動電圧（ＶＨ１またはＶＨ２）は、高正粒子の色状態から高負粒子の色状態に、または逆も同様に、ピクセルを駆動するために十分である駆動電圧として定義される（図２ａおよび２ｂ参照）。説明されるようなここシナリオでは、低い駆動電圧（ＶＬ１またはＶＬ２）は、より弱い電荷を帯びた粒子の色状態からより高く荷電した粒子の色状態にピクセルを駆動するために十分であり得る駆動電圧として定義される（図２ｃおよび２ｄ参照）。
【００４５】
一般に、ＶＬ（例えば、ＶＬ１またはＶＬ２）の振幅は、ＶＨ（例えば、ＶＨ１またはＶＨ２）の振幅の５０％未満、もしくは好ましくは４０％未満である。
【００４６】
（第１の駆動方法：）
（部分Ａ：）
図４は、黄色状態（高負）から赤色状態（低正）にピクセルを駆動する駆動方法を図示する。この方法では、高負駆動電圧（ＶＨ２、例えば、−１５Ｖ）が、振動波形後に黄色状態に向かってピクセルを駆動するために、ｔ２の期間にわたって印加される。黄色状態から、ピクセルは、ｔ３の期間にわたって低正電圧（ＶＬ１、例えば、＋５Ｖ）を印加すること（つまり、図２ａから図２ｃにピクセルを駆動すること）によって、赤色状態に向かって駆動され得る。駆動期間ｔ２は、ＶＨ２が印加されるときにピクセルを黄色状態に駆動するために十分な期間であり、駆動期間ｔ３は、ＶＬ１が印加されるときにピクセルを赤色状態に駆動するために十分な期間である。駆動電圧は、好ましくは、ＤＣ平衡を確実にするように、振動波形の前にｔ１の期間にわたって印加される。「ＤＣ平衡」という用語は、本願の全体を通して、期間（例えば、波形全体の周期）にわたって積分されるときに、ピクセルに印加される駆動電圧が実質的にゼロであることを意味することを意図している。
【００４７】
（部分Ｂ：）
図５は、黒色状態（高正）から白色状態（低負）にピクセルを駆動する駆動方法を図示する。この方法では、高正駆動電圧（ＶＨ１、例えば、＋１５Ｖ）が、振動波形後に黒色状態に向かってピクセルを駆動するために、ｔ５の期間にわたって印加される。黒色状態から、ピクセルは、ｔ６の期間にわたって低負電圧（ＶＬ２、例えば、−５Ｖ）を印加すること（つまり、図２ｂから図２ｄにピクセルを駆動すること）によって、白色状態に向かって駆動され得る。駆動期間ｔ５は、ＶＨ１が印加されるときにピクセルを黒色状態に駆動するために十分な期間であり、駆動期間ｔ６は、ＶＬ２が印加されるときにピクセルを白色状態に駆動するために十分な期間である。駆動電圧は、好ましくは、ＤＣ平衡を確実にするように、振動波形の前にｔ４の期間にわたって印加される。
【００４８】
図４の波形全体は、ＤＣ平衡状態である。別の実施形態では、図５の波形全体は、ＤＣ平衡状態である。
【００４９】
第１の駆動方法は、以下のように要約され得る。
【００５０】
視認側の第１の表面と、非視認側の第２の表面と、電気泳動流体とを備えている電気泳動ディスプレイのための駆動方法であって、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む。
【００５１】
（ｉ）視認側における第１または第２のタイプの粒子の色状態に向けてピクセルを駆動するために、第１の期間にわたって第１の駆動電圧を電気泳動ディスプレイ内のピクセルに印加するステップ、および、
（ｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために、第２の期間にわたって第２の駆動電圧をピクセルに印加するステップであって、第２の駆動電圧は、第１の駆動電圧のそれと反対の極性と、第１の駆動電圧のそれより低い振幅とを有する、ステップ。
【００５２】
（第２の駆動方法：）
（部分Ａ：）
本発明の第２の駆動方法が、図６に図示されている。これは、図４のｔ３の駆動期間に取って代わるために使用される駆動波形に関連する。
【００５３】
最初のステップでは、高負駆動電圧（ＶＨ２、例えば、−１５Ｖ）が、視認側に向かって黄色粒子を押すためにｔ７の期間にわたって印加され、その後、ｔ８の期間にわたる正駆動電圧（＋Ｖ’）が続き、それは、黄色粒子を引き下げ、視認側に向かって赤色粒子を押す。
【００５４】
＋Ｖ’の振幅は、ＶＨ（例えば、ＶＨ１またはＶＨ２）のものより低い。一実施形態では、＋Ｖ’の振幅は、ＶＨ（例えば、ＶＨ１またはＶＨ２）の振幅の５０％未満である。
【００５５】
一実施形態では、ｔ８は、ｔ７より長い。一実施形態では、ｔ７は、２０〜４００ミリ秒の範囲内であり得、ｔ８≧２００ミリ秒であり得る。
【００５６】
図６の波形は、少なくとも２サイクル（Ｎ≧２）、好ましくは、少なくとも４サイクル、より好ましくは、少なくとも８サイクルにわたって繰り返される。赤色は、各駆動サイクル後により強くなる。
【００５７】
記述されるように、図６に示されるような駆動波形は、図４のｔ３の駆動期間に取って代わるために使用され得る（図７参照）。換言すると、駆動順序は、振動波形、その後、ｔ２の期間にわたって黄色状態に向かって駆動することが続き、次いで、図６の波形を印加することであり得る。
【００５８】
別の実施形態では、ｔ２の期間にわたって黄色状態に駆動するステップは、排除され得、この場合、図６の波形を印加する前に、振動波形が印加される（図８参照）。
【００５９】
一実施形態では、図７の波形全体は、ＤＣ平衡状態である。別の実施形態では、図８の波形全体は、ＤＣ平衡状態である。
【００６０】
（部分Ｂ：）
図９は、図５のｔ６の駆動期間に取って代わるために使用される駆動波形を図示する。
【００６１】
最初のステップでは、高正駆動電圧（ＶＨ１、例えば、＋１５Ｖ）が、視認側に向かって黒色粒子を押すためにｔ９の期間にわたって印加され、その後に、黒色粒子を引き下げ、視認側に向かって白色粒子を押すｔ１０の期間にわたる負駆動電圧（−Ｖ’）が続く。
【００６２】
−Ｖ’の振幅は、ＶＨ（例えば、ＶＨ１またはＶＨ２）のものより低い。一実施形態では、−Ｖ’の振幅は、ＶＨ（例えば、ＶＨ１またはＶＨ２）の振幅の５０％未満である。
【００６３】
一実施形態では、ｔ１０は、ｔ９より長い。一実施形態では、ｔ９は、２０〜４００ミリ秒の範囲内であり得、ｔ１０≧２００ミリ秒であり得る。
【００６４】
図９の波形は、少なくとも２サイクル（Ｎ≧２）、好ましくは、少なくとも４サイクル、より好ましくは、少なくとも８サイクルにわたって繰り返される。白色は、各駆動サイクル後により強くなる。
【００６５】
記述されるように、図９に示されるような駆動波形は、図５のｔ６の駆動期間に取って代わるために使用され得る（図１０参照）。換言すると、駆動順序は、振動波形、その後、ｔ５の期間にわたって黒色状態に向かって駆動することが続き、次いで、図９の波形を印加することであり得る。
【００６６】
別の実施形態では、ｔ５の期間にわたって黒色状態に駆動するステップは、排除され得、この場合、図９の波形を印加する前に、振動波形が印加される（図１１参照）。
【００６７】
一実施形態では、図１０の波形全体は、ＤＣ平衡状態である。別の実施形態では、図１１の波形全体は、ＤＣ平衡状態である。
【００６８】
本発明の本第２の駆動方法は、以下のように要約され得る。
【００６９】
視認側の第１の表面と、非視認側の第２の表面と、電気泳動流体とを備えている電気泳動ディスプレイのための駆動方法であって、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１または第２のタイプの粒子の色状態に向けてピクセルを駆動するために、第１の期間にわたって第１の駆動電圧を電気泳動ディスプレイ内のピクセルに印加するステップ、
（ｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために、第２の期間にわたって第２の駆動電圧をピクセルに印加するステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップ、および、
ステップ（ｉ）および（ｉｉ）を繰り返すステップ。
【００７０】
一実施形態では、第２の駆動電圧の振幅は、第１の駆動電圧の振幅の５０％未満である。一実施形態では、ステップ（ｉ）および（ｉｉ）は、少なくとも２回、好ましくは、少なくとも４回、より好ましくは、少なくとも８回繰り返される。一実施形態では、この方法はさらに、ステップ（ｉ）の前に振動波形を含む。一実施形態では、この方法はさらに、振動波形の後、ステップ（ｉ）に先立って、ピクセルを第１または第２のタイプの粒子の色状態に駆動するステップを含む。
【００７１】
（第３の駆動方法：）
（部分Ａ：）
本発明の第２の駆動方法が、図１２に図示されている。それは、同様に図４のｔ３の駆動期間に取って代わるために使用され得る図６の駆動波形の代替案に関連する。
【００７２】
この代替的波形では、待ち時間ｔ１３が追加されている。待ち時間中、いかなる駆動電圧も印加されない。図１２の波形全体も、少なくとも２回（Ｎ≧２）、好ましくは、少なくとも４回、より好ましくは、少なくとも８回繰り返される。
【００７３】
図１２の波形は、特に、例えば、低温において、誘電体層の抵抗が高いときに、電気泳動ディスプレイデバイス内の誘電体層の中および／または異なる材料層の間の界面において貯蔵された電荷不均衡を放出するように設計される。
【００７４】
本願との関連で、「低温」という用語は、約１０℃を下回る温度を指す。
【００７５】
待ち時間は、おそらく、誘電体層の中に貯蔵された不要な電荷を放散し、黄色状態に向かってピクセルを駆動するための短いパルス（ｔ１１）および赤色状態に向かってピクセルを駆動するための長いパルス（ｔ１２）がより効率的であるようにすることができるであろう。結果として、この代替的駆動方法は、より高く荷電した粒子からの低く荷電した色素粒子のより良好な分離をもたらすであろう。
【００７６】
期間ｔ１１およびｔ１２は、それぞれ、図６のｔ７およびｔ８に類似する。換言すると、ｔ１２は、ｔ１１より長い。待ち時間（ｔ１３）は、誘電体層の抵抗に応じて、５〜５，０００ミリ秒の範囲内であり得る。
【００７７】
記述されるように、図１２に示されるような駆動波形はまた、図４のｔ３の駆動期間に取って代わるために使用され得る（図１３参照）。換言すると、駆動順序は、振動波形、その後、ｔ２の期間にわたって黄色状態に向かって駆動することが続き、次いで、図１２の波形を印加することであり得る。
【００７８】
別の実施形態では、ｔ２の期間にわたって黄色状態に駆動するステップは、排除され得、この場合、図１２の波形を印加する前に、振動波形が印加される（図１４参照）。
【００７９】
一実施形態では、図１３の波形全体は、ＤＣ平衡状態である。別の実施形態では、図１４の波形全体は、ＤＣ平衡状態である。
【００８０】
（部分Ｂ：）
図１５は、同様に図５のｔ６の駆動期間に取って代わるために使用され得る、図９の駆動波形の代替案を図示する。
【００８１】
この代替的波形では、待ち時間ｔ１６が追加されている。待ち時間中に、いかなる駆動電圧も印加されない。図１５の波形全体も、少なくとも２回（Ｎ≧２）、好ましくは、少なくとも４回、より好ましくは、少なくとも８回繰り返される。
【００８２】
図１２の波形のように、図１５の波形も、電気泳動ディスプレイデバイス内の誘電体層の中および／または異なる材料層の間の界面において貯蔵された電荷不均衡を放出するように設計される。上記のように、待ち時間は、おそらく、誘電体層の中に貯蔵された不要な電荷を放散し、黒色状態に向かってピクセルを駆動するための短いパルス（ｔ１４）および白色状態に向かってピクセルを駆動するための長いパルス（ｔ１５）がより効率的であるようにすることができるであろう。
【００８３】
期間ｔ１４およびｔ１５は、それぞれ、図９のｔ９およびｔ１０に類似する。換言すると、ｔ１５は、ｔ１４より長い。待ち時間（ｔ１６）も、誘電体層の抵抗に応じて、５〜５，０００ミリ秒の範囲内であり得る。
【００８４】
記述されるように、図１５に示されるような駆動波形はまた、図５のｔ６の駆動期間に取って代わるために使用され得る（図１６参照）。換言すると、駆動順序は、振動波形、その後、ｔ５の期間にわたって黒色状態に向かって駆動することが続き、次いで、図１５の波形を印加することであり得る。
【００８５】
別の実施形態では、ｔ５の期間にわたって黒色状態に駆動するステップは、排除され得、この場合、図１５の波形を印加する前に、振動波形が印加される（図１７参照）。
【００８６】
一実施形態では、図１６の波形全体は、ＤＣ平衡状態である。別の実施形態では、図１７の波形全体は、ＤＣ平衡状態である。
【００８７】
したがって、本発明の第３の駆動方法は、以下のように要約され得る。
【００８８】
視認側の第１の表面と、非視認側の第２の表面と、電気泳動流体とを備えている電気泳動ディスプレイのための駆動方法であって、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１のタイプまたは第２のタイプの粒子の色状態に向けてピクセルを駆動するために、第１の期間にわたって第１の駆動電圧を電気泳動ディスプレイ内のピクセルに印加するステップ、
（ｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために、第２の期間にわたって第２の駆動電圧をピクセルに印加するステップであって、第２の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｉｉ）第３の期間にわたっていかなる駆動電圧もピクセルに印加しないステップ、および、
ステップ（ｉ）−（ｉｉｉ）を繰り返すステップ。
【００８９】
一実施形態では、第２の駆動電圧の振幅は、第１の駆動電圧の振幅の５０％未満である。一実施形態では、ステップ（ｉ）、（ｉｉ）、および（ｉｉｉ）は、少なくとも２回、好ましくは、少なくとも４回、より好ましくは、少なくとも８回繰り返される。一実施形態では、この方法はさらに、ステップ（ｉ）の前に振動波形を含む。一実施形態では、この方法はさらに、振動波形の後、ステップ（ｉ）に先立って、第１または第２のタイプの粒子のフルカラー状態に駆動するステップを含む。
【００９０】
本願で参照される駆動期間のうちの任意のもの長さは、温度依存性であり得ることに留意されたい。
【００９１】
（第４の駆動方法：）
（部分Ａ：）
本発明の第４の駆動方法が、図１８に図示されている。これは、同様に図４のｔ３の駆動期間に取って代わるために使用され得る駆動波形に関連する。
【００９２】
最初のステップでは、高負駆動電圧（ＶＨ２、例えば、−１５Ｖ）が、ｔ１７の期間にわたってピクセルに印加され、その後、ｔ１８の待ち時間が続く。待ち時間後、正駆動電圧（＋Ｖ’、例えば、ＶＨ１またはＶＨ２の５０％未満）が、ｔ１９の期間にわたってピクセルに印加され、その後、ｔ２０の第２の待ち時間が続く。図１８の波形は、少なくとも２回、好ましくは、少なくとも４回、より好ましくは、少なくとも８回繰り返される。上で説明されるような「待ち時間」という用語は、いかなる駆動電圧も印加されない期間を指す。
【００９３】
図１８の波形では、第１の待ち時間ｔ１８が、非常に短い一方で、第２の待ち時間ｔ２０は、より長い。ｔ１７の期間はまた、ｔ１９の期間より短い。例えば、ｔ１７は、２０〜２００ミリ秒の範囲内であり得、ｔ１８は、１００ミリ秒未満であり得、ｔ１９は、１００〜２００ミリ秒の範囲内であり得、ｔ２０は、１０００ミリ秒未満であり得る。
【００９４】
図１９は、図４と図１８との組み合わせである。図４では、黄色状態が、ｔ２の期間中に表示される。一般的な法則として、この期間内の黄色状態が良好であるほど、最終的に表示されるであろう赤色状態が良好になる。
【００９５】
一実施形態では、ｔ２の期間にわたって黄色状態に駆動するステップは、排除され得、この場合、図１８の波形を印加する前に、振動波形が印加される（図２０参照）。
【００９６】
一実施形態では、図１９の波形全体は、ＤＣ平衡状態である。別の実施形態では、図２０の波形全体は、ＤＣ平衡状態である。
【００９７】
（部分Ｂ：）
図２１は、同様に図５のｔ６の駆動期間に取って代わるために使用され得る、駆動波形を図示する。
【００９８】
最初のステップでは、高正駆動電圧（ＶＨ１、例えば、＋１５Ｖ）が、ｔ２１の期間にわたってピクセルに印加され、その後、ｔ２２の待ち時間が続く。待ち時間後、負駆動電圧（−Ｖ’、例えば、ＶＨ１またはＶＨ２の５０％未満）が、ｔ２３の期間にわたってピクセルに印加され、その後、ｔ２４の第２の待ち時間が続く。図２１の波形も、少なくとも２回、好ましくは、少なくとも４回、より好ましくは、少なくとも８回繰り返され得る。
【００９９】
図２１の波形では、第１の待ち時間ｔ２２が、非常に短い一方で、第２の待ち時間ｔ２４は、より長い。ｔ２１の期間はまた、ｔ２３の期間より短い。例えば、ｔ２１は、２０〜２００ミリ秒の範囲内であり得、ｔ２２は、１００ミリ秒未満であり得、ｔ２３は、１００〜２００ミリ秒の範囲内であり得、ｔ２４は、１０００ミリ秒未満であり得る。
【０１００】
図２２は、図５と図２１との組み合わせである。図５では、黒色状態が、ｔ５の期間中に表示される。一般的な法則として、この期間内の黒色状態が良好であるほど、最終的に表示されるであろう白色状態が良好になる。
【０１０１】
一実施形態では、ｔ５の期間にわたって黒色状態に駆動するステップは、排除され得、この場合、図２１の波形を印加する前に、振動波形が印加される（図２３参照）。
【０１０２】
一実施形態では、図２２の波形全体は、ＤＣ平衡状態である。別の実施形態では、図２３の波形全体は、ＤＣ平衡状態である。
【０１０３】
本発明の第４の駆動方法は、以下のように要約され得る。
【０１０４】
視認側の第１の表面と、非視認側の第２の表面と、電気泳動流体とを備えている電気泳動ディスプレイを駆動するための駆動方法であって、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１または第２のタイプの粒子の色状態に向けてピクセルを駆動するために、第１の期間にわたって第１の駆動電圧を電気泳動ディスプレイ内のピクセルに印加するステップ、
（ｉｉ）第２の期間にわたっていかなる駆動電圧もピクセルに印加しないステップ、
（ｉｉｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために第３の期間にわたって第２の駆動電圧をピクセルに印加するステップであって、第３の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｖ）第４の期間にわたっていかなる駆動電圧もピクセルに印加しないステップ、および、
ステップ（ｉ）−（ｉｖ）を繰り返すステップ。
【０１０５】
一実施形態では、第２の駆動電圧の振幅は、第１の駆動電圧の振幅の５０％未満である。一実施形態では、ステップ（ｉ）−（ｉｖ）は、少なくとも２回、好ましくは、少なくとも４回、より好ましくは、少なくとも８回繰り返される。一実施形態では、この方法はさらに、ステップ（ｉ）の前に振動波形を含む。一実施形態では、この方法はさらに、振動波形の後、ステップ（ｉ）に先立って、ピクセルを第１または第２のタイプの粒子の色状態に駆動するステップを含む。
【０１０６】
この駆動方法は、低温において特に効果的であるだけでなく、ディスプレイデバイスの製造中に引き起こされる構造変動のより良好な許容範囲をディスプレイデバイスに提供することもできる。したがって、有用性は、低温駆動に限定されない。
【０１０７】
（第５の駆動方法：）
（部分Ａ：）
この駆動方法は、黄色状態（高負）から赤色状態（低正）へのピクセルの低温駆動のために特に好適である。
【０１０８】
図２４に示されるように、低負駆動電圧（−Ｖ’）が、最初に、ｔ２５の期間にわたって印加され、その後、ｔ２６の期間にわたって低正駆動電圧（＋Ｖ”）が続く。その順序が繰り返されるので、２つの駆動電圧の間にｔ２７の待ち時間もある。そのような波形は、少なくとも２回（Ｎ’≧２）、好ましくは、少なくとも４回、より好ましくは、少なくとも８回繰り返され得る。
【０１０９】
ｔ２５の期間は、ｔ２６の期間より短い。ｔ２７の期間は、０〜２００ミリ秒の範囲内であり得る。
【０１１０】
駆動電圧Ｖ’およびＶ”の振幅は、ＶＨ（例えば、ＶＨ１またはＶＨ２）の振幅の５０％未満であり得る。Ｖ’の振幅が、Ｖ”の振幅と同一であることも、異なることもあることにも留意されたい。
【０１１１】
図２４の駆動波形は、図１９および２０の波形と併せて印加されるときに最も効果的であることも分かっている。２つの駆動波形の組み合わせは、それぞれ、図２５および２６に示されている。
【０１１２】
一実施形態では、図２５の波形全体は、ＤＣ平衡状態である。別の実施形態では、図２６の波形全体は、ＤＣ平衡状態である。
【０１１３】
（部分Ｂ：）
この駆動方法は、黒色状態（高正）から白色状態（低負）へのピクセルの低温駆動のために特に好適である。
【０１１４】
図２７に示されるように、低正駆動電圧（＋Ｖ’）が、最初に、ｔ２８の期間にわたって印加され、その後、ｔ２９の期間にわたって低負駆動電圧（−Ｖ”）が続く。その順序が繰り返されるので、２つの駆動電圧の間にｔ３０の待ち時間もある。そのような波形は、少なくとも２回（Ｎ’≧２）、好ましくは、少なくとも４回、より好ましくは、少なくとも８回繰り返され得る。
【０１１５】
ｔ２８の期間は、ｔ２９の期間より短い。ｔ３０の期間は、０〜２００ミリ秒の範囲内であり得る。
【０１１６】
駆動電圧Ｖ’およびＶ”の振幅は、ＶＨ（例えば、ＶＨ１またはＶＨ２）の振幅の５０％未満であり得る。Ｖ’の振幅が、Ｖ”の振幅と同一であることも、異なることもあることにも留意されたい。
【０１１７】
図２７の駆動波形は、図２２および２３の波形と併せて印加されるときに最も効果的であることも分かっている。２つの駆動波形の組み合わせは、それぞれ、図２８および２９に示されている。
【０１１８】
一実施形態では、図２８の波形全体は、ＤＣ平衡状態である。別の実施形態では、図２９の波形全体は、ＤＣ平衡状態である。
【０１１９】
第５の駆動方法は、以下のように要約されることができる。
【０１２０】
視認側の第１の表面と、非視認側の第２の表面と、電気泳動流体とを備えている電気泳動ディスプレイのための駆動方法であって、その流体は、共通電極とピクセル電極の層との間に挟まれており、全てが溶媒または溶媒混合物中に分散させられる第１のタイプの粒子、第２のタイプの粒子、第３のタイプの粒子、および第４のタイプの粒子を含み、
（ａ）４つのタイプの色素粒子は、互いに異なる光学特性を有し、
（ｂ）第１のタイプの粒子は、高正電荷を帯び、第２のタイプの粒子は、高負電荷を帯び、
（ｃ）第３のタイプの粒子は、低正電荷を帯び、第４のタイプの粒子は、低負電荷を帯び、
この方法は、以下のステップを含む：
（ｉ）視認側における第１または第２のタイプの粒子の色状態に向けてピクセルを駆動するために、第１の期間にわたって第１の駆動電圧を電気泳動ディスプレイ内のピクセルに印加するステップ、
（ｉｉ）第２の期間にわたっていかなる駆動電圧もピクセルに印加しないステップ、
（ｉｉｉ）第３の期間にわたって第２の駆動電圧をピクセルに印加するステップであって、第３の期間は、第１の期間より長く、第２の駆動電圧は、第１の駆動電圧のそれと反対の極性を有し、第２の駆動電圧は、第１の駆動電圧のそれより低い振幅を有する、ステップ、
（ｉｖ）第４の期間にわたっていかなる駆動電圧もピクセルに印加しないステップと、
ステップ（ｉ）−（ｉｖ）を繰り返すステップ、
（ｖ）第５の期間にわたって第３の駆動電圧をピクセルに印加するステップであって、第３の駆動電圧は、第１の駆動電圧のそれと同一の極性を有する、ステップ、
（ｖｉ）視認側における第１のタイプの粒子の色状態から第４のタイプの粒子の色状態に向けてピクセルを駆動するために、または第２のタイプの粒子の色状態から第３のタイプの粒子の色状態に向けてピクセルを駆動するために第６の期間にわたって第４の駆動電圧をピクセルに印加するステップであって、第５の期間は、第６の期間より短く、第４の駆動電圧は、第１の駆動電圧のそれと反対の極性を有する、ステップ、
（ｖｉｉ）第７の期間にわたっていかなる駆動電圧もピクセルに印加しないステップ、および、
ステップ（ｖ）−（ｖｉｉ）を繰り返すステップ。
【０１２１】
一実施形態では、第３の駆動電圧および第４の駆動電圧の両方の振幅は、第１の駆動電圧の振幅の５０％未満である。一実施形態では、ステップ（ｖ）−（ｖｉｉ）は、少なくとも２回、好ましくは、少なくとも４回、より好ましくは、少なくとも８回繰り返される。
【０１２２】
本発明は、その具体的実施形態を参照して説明されているが、本発明の範囲から逸脱することなく、種々の変更が行われ得、均等物が代用され得ることが、当業者によって理解されるべきである。加えて、特定の状況、材料、組成物、プロセス、１つまたは複数のプロセスステップを、本発明の目的および範囲に適合させるように、多くの修正が行われ得る。全てのそのような修正は、本明細書に添付される請求項の範囲内であることを意図している。
【図１】
2019133197.tif 000003
【図２−１】
2019133197.tif 000004
【図２−２】
2019133197.tif 000005
【図２−３】
2019133197.tif 000006
【図３】
2019133197.tif 000007
【図４】
2019133197.tif 000008
【図５】
2019133197.tif 000009
【図６】
2019133197.tif 000010
【図７】
2019133197.tif 000011
【図８】
2019133197.tif 000012
【図９】
2019133197.tif 000013
【図１０】
2019133197.tif 000014
【図１１】
2019133197.tif 000015
【図１２】
2019133197.tif 000016
【図１３】
2019133197.tif 000017
【図１４】
2019133197.tif 000018
【図１５】
2019133197.tif 000019
【図１６】
2019133197.tif 000020
【図１７】
2019133197.tif 000021
【図１８】
2019133197.tif 000022
【図１９】
2019133197.tif 000023
【図２０】
2019133197.tif 000024
【図２１】
2019133197.tif 000025
【図２２】
2019133197.tif 000026
【図２３】
2019133197.tif 000027
【図２４】
2019133197.tif 000028
【図２５】
2019133197.tif 000029
【図２６】
2019133197.tif 000030
【図２７】
2019133197.tif 000031
【図２８】
2019133197.tif 000032
【図２９】
2019133197.tif 000033
【外国語明細書】
2019133197000001.pdf